(57)【要約】【課題】電子装置の消費電力を節約する。【解決手段】本発明の一実施形態における電子装置(104)用の電力スイッチング機構(200)は、制御入力(204)とスイッチング装置(202)を備える。制御入力は、電子装置とホスト装置の間の接続部(108)の導体(110)に接続可能である。スイッチング装置は電源(106)を電力供給装置(116)に接続することができる。スイッチング装置は、制御入力によって制御されて、導体に電圧が印加されているときには、電源を電力供給装置に接続し、導体に電圧が印加されていないときには、電力供給装置を電源から切り離す。【選択図】図１
2005160295.tif 000002
【特許請求の範囲】
【請求項１】
電子装置（１０４）のための電力スイッチング機構（２００）であって、
前記電子装置とホスト装置との間の接続部（１０８）の導体（１１０）に接続可能な制御入力（２０４）と、
電源（１０６）を電力供給装置（１１６）に結合することができるスイッチング装置（２０２）であって、前記導体に電圧が存在するときには、前記電源を前記電力供給装置に接続し、前記導体に電圧が存在しないときには、前記電力供給装置を前記電源から切り離すように、前記制御入力により、制御されるスイッチング装置
を備える、電力スイッチング機構。
【請求項２】
前記導体に前記電圧が存在せず、このため、前記スイッチング装置が前記電子装置の前記電力供給装置を前記電源から切り離す場合には、前記電子装置は電力を消費しない、請求項１に記載の電力スイッチング機構。
【請求項３】
前記ホスト装置がオンにされた状態であってかつ完全動作状態になると、前記導体に前記電圧が印加される、請求項１に記載の電力スイッチング機構。
【請求項４】
スイッチ（３０２）であって、該スイッチがオンである時は、前記制御入力が前記導体に存在する前記電圧を介して前記スイッチング装置を制御することができ、該スイッチがオフである時は、前記導体に前記電圧が存在するか否かに関係なく、前記スイッチング装置が前記電力供給装置を前記電源から切り離し、前記制御入力が前記スイッチング装置を制御することができないように、前記制御入力と前記スイッチング装置との間に結合されたスイッチをさらに備える、請求項１に記載の電力スイッチング機構。
【請求項５】
前記スイッチは、ユーザが、前記導体に存在する前記電圧を介する前記制御入力による前記スイッチング装置の制御を無効にして、前記電力供給装置を前記電源から切り離すことができるように、ユーザ制御によりオンおよびオフにされる、請求項４に記載の電力スイッチング機構。
【請求項６】
前記スイッチは、前記ホスト装置がオンであるときには、ユーザが前記電子装置をオンにするか否かを制御することができるが、前記ホスト装置がオフであるときには、ユーザが前記電子装置をオンにするか否かを制御することができないように、ユーザ制御によりオンおよびオフにされ、前記電子装置は、前記ホスト装置がオフであるときには、前記スイッチのユーザ制御に関係なくオフ状態を維持することからなる、請求項４に記載の電力スイッチング機構。
【請求項７】
前記電子装置と前記ホスト装置との間の前記接続部は、前記導体と、接地導体と、少なくとも１つの信号導体とを有するケーブルであり、該信号導体を介して、前記電子装置と前記ホスト装置とが通信することからなる、請求項１に記載の電力スイッチング機構。
【請求項８】
前記電子装置は、画像形成装置であり、該画像形成装置は、前記接続部を介して前記ホスト装置から媒体上に形成される画像を受け取る、請求項１に記載の電力スイッチング機構。
【請求項９】
電子装置（１０４）のための電力スイッチング機構（２００）であって、
前記電子装置とホスト装置との間の接続部（１０８）の電源導体（１１０）に接続可能な制御入力線（２０４）であって、該接続部を介して、前記電子装置と前記ホスト装置とが通信し、前記電源導体には、前記ホスト装置がスリープ状態とハイバネーション状態とオフにされた状態とのうちの１つ以外の状態であるときに電圧が存在することからなる、制御入力線（２０４）と、
前記電子装置の電力供給装置（１１６）に電源（１０６）を結合することが可能なリレー（２０２）であって、前記電源導体に前記電圧が存在するときには、前記電源を前記電力供給装置に接続し、前記電源導体に前記電圧が存在しないときには、前記電力供給装置を前記電源から切り離すように、前記制御入力線によって制御されるリレー
とを備える、電力スイッチング機構。
【発明の詳細な説明】
【技術分野】
【０００１】
本発明は、電子装置の電源供給手段に関し、特に消費電力を低減するための電源供給手段に関する。
【背景技術】
【０００２】
プリンタのようなコンピュータ周辺装置等の多くの電子装置は、オンである時は、−アイドル状態であり目下機能的タスクを実行していない時であっても−大量の電力を消費する可能性がある。たとえば、インクジェットおよびレーザプリンタならびに他のタイプの画像形成装置は、オンである時、プリントするよう要求された場合にすぐにプリントを開始することができるように、アイドル状態のときも大量の電力を消費しなければならない場合がある。他の電子装置も同様に、アイドル状態である時に大量の電力を使用する場合がある。
【発明の開示】
【発明が解決しようとする課題】
【０００３】
しかしながら、個人、組織および政府機関は、かかる装置が、特にアイドル状態であり機能的タスクを実行していないときに使用する電力消費に対し疑問を持ち始めてきた。個人および組織は、電気代を減らすためにより優れたエネルギー効率を期待している。政府機関は、さらなる発電所を建設する必要を低減するように、かつ発電所がピーク容量で運転している場合の電力使用制限および停電といった事態を回避するために、より優れたエネルギー効率を期待している。
【課題を解決するための手段】
【０００４】
したがって、電子装置において電力消費を節約するための手段が必要とされている。
【０００５】
本明細書で参照する図面は、本願の一部を形成する。図面に示す特徴は、特に明示的に示さない限り、本発明のすべての実施形態ではなく本発明のいくつかの実施形態のみを例示するものとして意図されている。
【実施例】
【０００６】
本発明の例示的な実施形態の以下の詳細な説明は、本願の一部を形成し、本発明を実施することが可能な特定の例示的な実施形態を示す添付図面を参照する。これらの実施形態を、当業者が本発明の実施形態を実施することができる程度に十分詳細に説明する。他の実施形態を利用してもよく、添付の特許請求の範囲の思想または範囲から逸脱することなく論理的変更、機械的変更および他の変更を行うことが可能である。したがって、以下の詳細な説明は、限定する意味で取られるべきではなく、本発明の範囲は添付の特許請求の範囲によってのみ規定される。
【０００７】
概論
図１は、本発明の一実施形態による代表的なシステム１００を示す。システム１００は、ホスト装置１０２と、電源１０６に結合された電子装置１０４と、ホスト装置１０２を電子装置１０４に結合する接続部１０８と、を有する。図１では、接続部１０８を、導体１１０（電源導体等）と、接地導体１１２と、２つの信号導体１１４Ａおよび１１４Ｂと、を含むものとして示す。接続部１０８は、ユニバーサルシリアルバス（ＵＳＢ）接続であっても、または別のタイプの接続であってもよい。一実施形態では、接続部１０８をケーブルとして実施してもよい。
【０００８】
ホスト装置１０２がオンにされた状態であってかつ完全な動作状態（完全動作状態）で動作しているときは、導体１１０にはある電圧が印加されている。すなわち、ホスト装置１０２は、オンにされた状態であってかつ完全動作状態で動作している時、導体１１０に対してある電圧を供給する。ホスト装置１０２は、スリープ状態、ハイバネーション（hibernation）状態またはオフにされた状態ではないときは、オンにされた状態であってかつ完全動作状態で動作することができる。スリープ、ハイバネーションおよびオフにされた状態では、ホスト装置１０２は、導体１１０に電圧を供給しない。
【０００９】
たとえば、ホスト装置１０２は、デスクトップまたはラップトップコンピュータ、もしくは別のタイプのコンピューティングまたはホスト装置であってもよい。オフにされた状態では、ホスト装置１０２は、コンピュータである場合、再びオンにされたときに新たなコンピューティングセッションを開始するためにリブートするようにオフ状態である。これに対して、ハイバネーション状態では、ホスト装置１０２は、コンピュータである場合、オフになる前にまずシステム情報、開いているアプリケーション、ファイル等のその現在の状態を、ハードディスクドライブのような永久記憶装置に保存する。そして、ホスト装置１０２は、再びオンにされると、以前に保存されたコンピューティングセッションが継続するように、その以前の状態を永久記憶装置からリロードする。したがって、ハイバネーション状態を、オフにされた状態の特別なタイプとみなすことができる。
【００１０】
さらに、スリープ状態では、ホスト装置１０２は、コンピュータである場合、低電力モードに入る場合がある。低電力モードでは、装置１０２は、その現在の状態を維持するためにその揮発性メモリに対する電力を維持するが、消費する電力を低減するためにハードディスクドライブ、モニタ等の他の多くの周辺装置をオフにする。オンにされた状態でありかつ完全動作状態では、ホスト装置１０２は、コンピュータである場合、ユーザが積極的に使用することができる。スリープ状態と、オンにされた状態でありかつ完全動作状態とは、オンにされた状態の異なるタイプである。その相違は、スリープ状態では、通常、電力は、ダイナミックランダムアクセスメモリ（ＤＲＡＭ）等のホスト装置１０２の揮発性メモリと、恐らくはホスト装置１０２のいくつかの他のコンポーネントとに対してのみ供給されるのに対し、オンにされた状態でありかつ完全動作状態では、電力は通常、装置１０２のすべてのコンポーネントおよび周辺装置に供給される点にある。
【００１１】
接続部１０８は、少なくとも導体１１０を有する。一般に、接続部１０８はまた、ホスト装置１０２と電子装置１０４との間に電源ループを提供する接地導体１１２を有してもよい。接続部１０８は、一般に、電子装置１０４とホスト装置１０２とが接続部１０８を介して互いと通信するのを可能にするように意図されている。その結果、接続部１０８はまた、１つまたは複数の別々の信号導体１１４を有してもよい。図１では、ＵＳＢタイプ接続である接続部１０８をなす２つの信号導体１１４Ａおよび１１４Ｂが示されている。たとえば、電子装置１０４は、インクジェットプリント装置またはレーザプリント装置等の画像形成装置である場合、接続部１０８を介して、より詳細には一実施形態ではその信号導体１１４を介して、それが媒体上に形成する画像をホスト装置１０２から受け取る。
【００１２】
電子装置１０４は、画像形成装置以外の別のタイプの周辺装置であってもよい。電子装置１０４は、電源１０６から、媒体上での画像形成等、その意図された機能を実行するために電力を受け取る。特に、電子装置１０４は、電源１０６に結合されるパワーサプライ（または電力供給装置。以下同じ）１１６を有し、パワーサプライ１１６は、電源１０６によって供給される電力を、電子装置１０４の他のコンポーネントが使用するための使用可能な形態となるように変換するかまたは他の方法で処理する。電源１０６は、パワーサプライ１１６が差し込まれる、壁コンセント等の交流（ＡＣ）電源であってもよい。電源１０６はまた、電池等の直流（ＤＣ）電源であってもよい。図１では、パワーサプライ１１６を、電子装置１０４の内部にあるように示しているが、それは、電子装置１０４の外部にあってもよい。同様に、図１では、電源１０６を電子装置１０４の外部にあるように示しているが、それは、電子装置１０４の内部にあってもよい。
【００１３】
ホスト装置１０２が、導体１１０に電圧を供給するように、ハイバネーション状態、スリープ状態またはオフにされた状態以外の状態であることの結果として、接続部１０８の導体１１０（１１０について一貫した用語とするために「電源」を削除した）に電圧が存在する場合、電子装置１０４のパワーサプライ１１６は、電源１０６に接続される。その結果、電子装置１０４は、パワーサプライ１１６を介して電源１０６から電力を受け取るため、正常に機能し動作することができる。すなわち、ホスト装置１０２は、オンにされた状態でありかつ完全動作状態で動作しているときは、導体１１０に電圧を供給し、このように導体１１０に電圧が存在することにより、電子装置１０４のパワーサプライ１１６が電源１０６に接続される。
【００１４】
しかしながら、ホスト装置１０２が、導体１１０に電圧を供給しないように、ハイバネーション、スリープまたはオフにされた状態にあることの結果として、接続部１０８の導体１１０に電圧が存在しない場合、電子装置１０４のパワーサプライ１１６は、電源１０６から切り離される。その結果、電子装置１０４もオフにされた状態に入り、装置１０４は電力を消費しない。すなわち、ホスト装置１０２は、オンにされた状態でありかつ完全動作状態では動作していない場合、導体１１０に電圧を供給せず、このように導体１１０に電圧が存在しないことにより、電子装置１０４のパワーサプライ１１６は電源１０６から切り離される。
【００１５】
図１のシステム１００では、接続部１０８の導体１１０に電圧が存在しないときは、電子装置１０４が電力を消費しないため、省電力がもたらされる。電子装置１０４は、後の時点で再びオンになることができるように、電源１０６から少量の電力さえも消費する必要がない。それは、接続部１０８の導体１１０における電圧が代りにこの最小量の電力を供給するためである。さらに、次の項で明らかとなるように、電子装置１０４は、たとえば複雑な回路を使用することなく、このオフにされた状態に入ることができる。これは、電子装置１０４がオンにされた状態でありかつ完全動作状態にあるか、または、オフにされた状態にあるかが、基本的に、導体１１０において電圧が存在するか否かによって制御されるためである。
【００１６】
電力スイッチング機構
図２は、本発明の一実施形態による、電子装置１０４のための電力スイッチング機構（または電源開閉機構とも呼ぶ）２００を示す。電力スイッチング機構２００は、リレー２０２と制御入力線２０４とを有する。リレー２０２は、より一般的には、スイッチ、半導体スイッチング装置等のスイッチング装置である。すなわち、図２では、リレー２０２を本発明の一実施形態に特有のものとして説明し図示するが、本発明の他の実施形態では、他のタイプのスイッチング装置を使用することができる。さらに、本明細書では、一般にリレーと呼ばれる電気部品に加えて他のタイプのスイッチング装置を包含するように、リレーという用語をスイッチング装置として包括的に使用する。リレー２０２を、電子装置１０４のパワーサプライ１１６と電源１０６との間に接続する。当業者は理解することができるように、リレー２０２自体が、スイッチ２０６と作動素子２０８とを含む。作動素子２０８は、中に電流が流れることによって励磁されるとスイッチ２０６を閉じるコイルであってもよい。このため、リレー２０２は、本発明の一実施形態では、通常は開いているスイッチ（ノーマルオープンのスイッチ）２０６を含む通常は開いているリレー（ノーマルオープンのリレー）である。
【００１７】
スイッチ２０６の一方の端子はパワーサプライ１１６に接続されており、他方の端子は電源１０６に接続されている。制御入力線２０４は、ホスト装置１０２と電子装置１０４との間の接続部１０８の導体１１０に接続されている。作動素子２０８の一方の端子が制御入力線２０４に接続され作動素子２０８の他方の端子が接地（グランド）２１０に接続されているため、導体１１０に、ホスト装置１０２によって供給される電圧が印加されると、作動素子２０８が励磁される。作動素子２０８が励磁されることにより、スイッチ２０６が閉じ、パワーサプライ１１６が電源１０６に接続される。導体１１０に電圧が印加されていない場合、作動素子２０８への電源供給が切られ、スイッチ２０６が開き、パワーサプライ１１６が電源１０６から切り離される。一実施形態では、導体１１０からリレー２０２への電流を制限するために、制御入力線２０４とリレー２０２との間にバイアスネットワーク（バイアス回路網）を含めてもよい。このようなバイアスネットワークは、例えば、抵抗器を含むことができる。
【００１８】
電力スイッチング機構２００は、ホスト装置１０２が、制御入力線２０４が接続されている導体１１０に電圧を供給するような状態にあるときは、電子装置１０４のパワーサプライ１１６に電源１０６を接続する役割を果たす。ホスト装置１０２が、導体１１０に電圧を供給しないような状態にあるときは、機構２００は、電源１０６を電子装置１０４のパワーサプライ１１６から切り離す。その結果、電子装置１０４は、導体１１０に電圧が存在しない場合、電力を消費しない。ホスト装置１０２が、パワーサプライ１１６を再び電源１０６に接続するために導体１１０に電圧を供給することになるため、パワーサプライ１１６を完全にオフにして電源１０６から切り離すことができるように、リレー２０２に対し導体１１０の電圧によって電力を供給する。
【００１９】
図３は、本発明の別の実施形態による、図２の機構２００より詳細であるがそれと一貫している電力スイッチング機構２００を示す。図３では、電力スイッチング機構２００に、スイッチ３０２とオーバーライド線３０４が追加されている。さらに、図３では、図３に示すようにかつ当業者は理解することができるように、スイッチ３０２としてバイポーラ接合トランジスタ（ＢＪＴ）を使用する特定の実施形態について、抵抗器３０６および３０８を示す。抵抗器３０６および３０８の各々は、図３に示すように接地２１０で終端する。さらに、図２では制御入力線２０４をリレー２０２の作動素子２０８の端子に直接接続するが、図３では、制御入力線２０４と作動素子２０８との間にスイッチ３０２を接続する。一実施形態では、抵抗器を、スイッチ３０２と、リレー２０２と抵抗器３０８との接続点と、の間に直列に配置してもよい。
【００２０】
オーバーライド線３０４がハイである場合、スイッチ３０２はオンであり、導体１１０に接続されている制御入力線２０４は、リレー２０２の作動素子２０８の励磁を制御し、したがって、リレー２０２を制御し、及び、パワーサプライ１１６を電源１０６に接続するか否かを制御することができる。したがって、オーバーライド線３０４がハイであるときは、図３の電力スイッチング機構２００は、図２の電力スイッチング機構２００と同様に動作する。しかしながら、オーバーライド線３０４がローであるときは、スイッチ３０２はオフである。この状況では、制御入力線２０４は、リレー２０２の作動素子２０８の励磁を制御せず、リレー２０２は、制御入力線２０４が接続されている導体１１０の電圧に関係なくオフのままである。したがって、オーバーライド線３０４がローであるためにスイッチ３０２がオフであるときは、導体１１０に電圧が存在するか否かに関係なく（あるいは、導体１００上の電圧に関係なく）、電子装置１０４はオフにされた状態のままであり、電力を消費しない。
【００２１】
一実施形態では、スイッチ３０２を、ユーザ制御によってオンおよびオフにしてもよい。たとえば、オーバーライド線３０４は、電子装置１０４における外部から操作可能な物理的スイッチの作動の状態に基づいてハイまたはローとなってもよい。オーバーライド線３０４のデフォルト状態はハイであって、導体１１０が制御入力線２０４を介して、リレー２０２を制御し、及び、パワーサプライ１１６を電源１０６に接続するか否かを制御することができるようにしてもよい。しかしながら、ユーザが、オーバーライド線３０４がローになるように電子装置１０４の外部から操作可能な物理的スイッチを作動させて、導体１１０に電圧が存在するか否かに関係なく、パワーサプライ１１６を電源１０６から切り離すことができるようにしてもよい。これは、ホスト装置１０２が導体１１０に電圧を供給している状態にあるときであっても、ユーザが電子装置１０４をオフにすることができるようにするために望ましい場合がある。
【００２２】
かかる実施形態では、ユーザは、電力供給装置１１６を電源１０６から切り離すために、導体１１０に存在する電圧を介する制御入力線２０４によるリレー２０２の制御を無効にすることができる。したがって、この実施形態では、スイッチ３０２は、ユーザ制御によって有効にオンおよびオフされ、このため、ホスト装置１０２がオンのときは、ユーザは、電子装置１０４をオンにするか否かを制御することができるようになる。しかしながら、ホスト装置１０２がオフであるときは、ユーザは、電子装置１０４をオンにするか否かを制御することはできないままであり、このため、スイッチ３０２がオンにされたかオフにされたかに関係なく、ホスト装置１０２がオフであるときには電子装置１０４はオフの状態を維持する。
【００２３】
このように、ホスト装置１０２がオフであるときに電子装置１０４をオンとすることができないのは、ホスト装置１０２がオフであるときに、導体１１０に電圧が存在しないためである。したがって、スイッチ３０２がオンであっても、導体１１０において、したがって制御入力線２０４において、リレー２０２の作動素子２０８を励磁するための電圧が存在しない。そのため、ユーザは、導体１１０の電圧によるパワーサプライ１１６の電源１０６への接続状態を手動で無効にすることができるが、パワーサプライ１１６の電源１０６からの切り離し状態を手動で解除することはできない。
【００２４】
電子装置
図４は、本発明の一実施形態による電子装置１０４のブロック図を示す。電子装置は、コネクタ４０２と、電力スイッチング機構２００と、パワーサプライ１１６と、画像形成（または他の）機構４０４と、を有する。機構４０４が画像形成機構である場合、電子装置１０４は画像形成装置である。たとえば、電子装置１０４が、インクジェットプリンタ等のインクジェットプリント装置かまたはレーザプリンタ等のレーザプリント装置であることができるように、画像形成機構４０４は、インクジェットプリント機構またはレーザプリント機構であってもよい。機構４０４は、一般に、電子装置１０４の意図された機能を実行するコンポーネントを有する。したがって、画像形成機構４０４は、電子装置１０４の画像形成機能を実行する画像形成コンポーネントを含む。電子装置１０４の意図された機能が画像形成以外である場合は、機構４０４は、そのような他の機能を実行するコンポーネントを有する。
【００２５】
コネクタ４０２は、導体１１０を有し、また、接地導体１１２と信号導体１１４とを有してもよい。コネクタ４０２は、ホスト装置１０２を電子装置１０４に結合する接続部１０８を受容する。たとえば、接続部１０８がユニバーサルシリアルバス（ＵＳＢ）プラグで終端するＵＳＢケーブルである場合、コネクタ４０２は、ＵＳＢケーブルを挿入することができるＵＳＢレセプタクルとすることができる。より一般的には、コネクタ４０２は、電子装置１０４がコネクタ４０２を介してホスト装置１０２と通信するように、電子装置１０４をホスト装置１０２に接続することができる。上述したように、導体１１０には、ホスト装置１０２がスリープ状態、ハイバネーション状態またはオフにされた状態以外の状態にあるときに電圧が存在する。
【００２６】
電力スイッチング機構２００は、リレー２０２を有し、またスイッチ３０２を有してもよい。パワーサプライ１１６は、上述したように、リレー２０２が導体１１０における電圧により、及びオプションとしてスイッチ３０２を介して制御される場合、電源１０６から画像形成（または他の）機構４０４に電力を供給し、電力スイッチング機構２００のリレー２０２を介して電源１０６に接続される。このように、リレー２０２は、導体１１０に電圧が存在するときで、かつ、スイッチ３０２が存在しないかまたは存在しかつオンである場合に、パワーサプライ１１６を電源１０６に接続する。
【００２７】
方法
図５は、本発明の一実施形態による、電力スイッチング機構２００を電子装置１０４の一部として使用し、かつ、ホスト装置１０２とともに使用するための方法５００を示す。図５に関連して説明する電力スイッチング機構２００は、図２のものであり、図３のものではない。すなわち、当業者は理解することができるように、方法５００を、説明を明確にするために、スイッチ３０２とオーバーライド線３０４とを有していない電力スイッチング機構２００に関連して説明する。
【００２８】
ホスト装置１０２は、スリープ状態、ハイバネーション状態またはオフにされた状態に入り、またはそれらのいずれかの状態で開始する（５０２）。ホスト装置１０２がこれらの状態のうちの１つに入ることに応答して、装置１０２は、ホスト装置１０２と電子装置１０４との間の接続部１０８の、本発明の一実施形態における電源導体等の導体１１０にもはや電圧を供給しない（５０４）。導体１１０に電圧が存在しないことに応答して、電子装置１０４のパワーサプライ１１６は電源１０６から切り離される（５０６）。たとえば、導体１１０の電圧は、電圧が存在しないことでリレー２０２がオフとなり、それによりパワーサプライ１１６が電源１０６から切り離されるように、パワーサプライ１１６を電源１０６に結合する電力スイッチング機構２００のリレー２０２を制御することができる。
【００２９】
後の時点で、ホスト装置１０２は、オンにされた状態でかつ完全動作状態に入る（５０８）。ホスト装置１０２がこの状態に入ることに応答して、装置１０２は、本発明の一実施形態における電源導体等の導体１１０に電圧を供給する（５１０）。導体１１０に電圧が存在することに応答して、電子装置１０４のパワーサプライ１１６は電源１０６に接続される（５１２）。たとえば、導体１１０の電圧により、パワーサプライ１１６を電源１０６に結合するリレー２０２を制御し、これにより、電圧が存在することによってリレー２０２がオンになり、パワーサプライ１１６を電源１０６に接続するようにしてもよい。後の時点で、方法５００は、線５１４によって示すように、５０２において繰り返してもよい。さらに、方法５００は、５０２の代わりに５０８で開始してもよい。
【００３０】
本発明の一実施形態における電子装置(104)用の電力スイッチング機構(200)は、制御入力(204)とスイッチング装置(202)を備える。制御入力は、電子装置とホスト装置の間の接続部(108)の導体(110)に接続可能である。スイッチング装置は電源(106)を電力供給装置(116)に接続することができる。スイッチング装置は、制御入力によって制御され、これにより、スイッチング装置は、導体に電圧が印加されているときには、電源を電力供給装置に接続し、導体に電圧が印加されていないときには、電力供給装置を電源から切り離す。
【００３１】
結び
本明細書において特定の実施形態を例示し説明したが、当業者には、示した特定の実施形態を同じ目的を達成するように考えられた任意の構成で置き換えることができるということが理解されよう。本出願は、開示された本発明の実施形態のいかなる適合化形態または変形形態をも包含するものであることが意図されている。したがって、本発明は、特許請求の範囲とその等価物によってのみ限定されるということが明示的に意図されている。
【図面の簡単な説明】
【００３２】
【図１】本発明の一実施形態による代表的なシステムの図である。
【図２】本発明の一実施形態による、電子装置のための電力スイッチング機構の一実施形態の図である。
【図３】本発明の別の実施形態による、図２の機構より詳細であるがそれと一貫する、電子装置のための電力スイッチング機構の実施形態の図である。
【図４】本発明の一実施形態による、電力スイッチング機構の一実施形態を含む電子装置の一実施形態のブロック図である。
【図５】本発明の一実施形態による、電子装置のための電力スイッチング機構を使用するための方法の一実施形態のフローチャートである。
【符号の説明】
【００３３】
１０８  接続部
１１０  導体
１１６  パワーサプライ（電力供給装置）
２００  電力スイッチング機構
２０４  制御入力線
【図１】
2005160295.tif 000003
【図２】
2005160295.tif 000004
【図３】
2005160295.tif 000005
【図４】
2005160295.tif 000006
【図５】
2005160295.tif 000007